(57)【要約】【課題】光漏れ防止のためのライトケースの周側壁と回路基板との当接状態の安定を図りつつ、回路基板の表面に形成した導電パターンの損傷防止を図る。【解決手段】ライトケース１０の多角形筒状の周側壁１１の端面が全周にわたり回路基板１の表面に当接することで、多角形筒状の周側壁と回路基板との隙間からの光漏れを防止したインジケータ照明装置において、回路基板の表面に、光源素子２の端子部２ａが半田付けされる各ランド部３をそれぞれ構成する複数の銅箔部４を、多角形筒状の周側壁よりも外側にはみ出すように形成し、銅箔部４に、多角形筒状の周側壁１１の端面が当接し、且つ、銅箔部に当接する多角形筒状の周側壁の端面に、少なくとも周側壁の角部１１ｐの端面１１ｐｅが含まれる。【選択図】図１
2014219377.tif 000002
【特許請求の範囲】
【請求項１】
回路基板と、
前記回路基板の表面の複数のランド部にそれぞれ端子部が半田付けされることで前記回路基板の表面に搭載された光源素子と、
前記光源素子の光の照射方向における前方に配置されたインジケータ意匠を有する光透過性の表示板と、
前記光源素子と前記表示板との間の照光空間を取り囲むように形成された多角形筒状の周側壁を有するライトケースと、
を具備し、
前記ライトケースの前記多角形筒状の周側壁の端面が全周にわたり前記回路基板の表面に当接することで、前記多角形筒状の周側壁と前記回路基板との隙間からの光漏れを防止したインジケータ照明装置において、
前記回路基板の表面に、前記各ランド部をそれぞれ構成する複数の銅箔部を、前記多角形筒状の周側壁よりも外側にはみ出すように形成し、
前記銅箔部に、前記多角形筒状の周側壁の端面が当接し、且つ、前記銅箔部に当接する前記多角形筒状の周側壁の端面として、少なくとも前記周側壁の角部の端面が含まれることを特徴とするインジケータ照明装置。
【請求項２】
前記周側壁が４つの角部を有する四角形筒状に形成され、
一方、前記光源素子が２個設けられ、前記各光源素子の２つの端子部が半田付けされる合計４つのランド部をそれぞれ構成する４つの前記銅箔部が、前記周側壁の４つの角部に対応して設けられると共に、前記周側壁の各角部よりも外側にはみ出すように設けられており、前記各銅箔部に、それぞれ前記周側壁の４つの角部の各端面が当接していることを特徴とする請求項１に記載のインジケータ照明装置。
【請求項３】
前記各銅箔部に対し、スルーホールを介して前記回路基板の裏面に形成された配線パターンが電気的に接続されていることを特徴とする請求項１又は２に記載のインジケータ照明装置。
【請求項４】
前記銅箔部間の前記周側壁の内部から外部に延在する隙間が、ラビリンス構造であることを特徴とする請求項１〜３のいずれか１項に記載のインジケータ照明装置。
【発明の詳細な説明】
【技術分野】
【０００１】
本発明は、例えば、車両用のコンビネーションメータ内に設けられたウォーニングランプ等のインジケータ照明装置に関する。
【背景技術】
【０００２】
例えば、自動車のコンビネーションメータには、各種警報表示灯（ウォーニングランプ）やシフト表示灯、ハイビーム表示灯等のインジケータ照明装置が設けられている。この種のインジケータ照明装置は、文字板（表示板）に印刷した意匠がそれぞれ独立して点灯するように、文字板の背後のライトケースに個別のランプ室を設けている（例えば、特許文献１参照）。
【０００３】
図４（ａ）は一般的なインジケータ照明装置の断面図、図４（ｂ）は意匠を印刷した表示板の正面図である。
【０００４】
図４（ａ）及び図４（ｂ）に示すように、このインジケータ照明装置は、回路基板１と、回路基板１に搭載されたＬＥＤ等の光源素子２と、光源素子２の光の照射方向における前方に配置されたインジケータ意匠２１を有する光透過性の表示板２０と、光源素子２と表示板２０との間の照光空間５（ランプ室に相当）を取り囲むように形成された多角形筒状の周側壁１１を有するライトケース１０と、を具備している。
【０００５】
表示板２０は、四角形筒状の周側壁１１の前面開口を塞ぐように配置され、回路基板１は、周側壁１１の後面開口を塞ぐように配置されている。回路基板１上の光源素子２と表示板２０との間の照光空間５を取り囲むように設けられた周側壁１１は、回路基板１側から表示板２０側に向かうに従って拡がった四角錐面状に形成されており、周側壁１１の内面は、光源素子２の出射する光を前方の表示板２０に向けて反射する反射面１２として構成されている。
【０００６】
図５はライトケースの周側壁１１と、回路基板１及びその表面に搭載された光源素子２との関係を示す斜視図である。
【０００７】
ライトケース１０の周側壁１１によって囲まれた照光空間５には、２つの光源素子２が臨んでおり、２つの光源素子２は、回路基板１の表面に形成された複数のランド部３にそれぞれ端子部２ａが半田付けされることで回路基板１の表面に並べて配置されている。ランド部３は、四角形筒状の周側壁１１の内側に収容される位置に全て配置されており、各ランド部３には、周側壁１１の内側から外側に延びるように回路基板１の表面に形成された配線パターン１７が接続されている。
【０００８】
ところで、従来、指向性のある光源素子２を使用している場合は、照光空間５を囲む四角形筒状の周側壁１１の端部を、回路基板１の表面との間に僅かな隙間を開けて配置していたが、光源素子２として拡散タイプのものを使用した場合、前記隙間があると光漏れの問題が顕著となるため、回路基板１の表面に対して周側壁１１の端面を全周にわたり突き当てることにより、周側壁１１と回路基板１との隙間からの光漏れを防止するようにしている。
【先行技術文献】
【特許文献】
【０００９】
【特許文献１】特開２０１０−１２２０６２号公報
【発明の概要】
【発明が解決しようとする課題】
【００１０】
しかし、ライトケース１０の周側壁１１の端面を回路基板１の表面に突き当てた場合、光漏れ防止の効果は得られるものの、回路基板１の表面において僅かに凸になった配線パターン１７の上に局部的に周側壁１１から押圧力が加わることになるため、配線パターン１７に応力が発生し、その状態で振動等が加わることにより、配線パターン１７に損傷が生じるおそれがあった。また、四角形筒状の周側壁１１の四角形の辺に相当する部分が配線パターン１７に当たるため、回路基板１と周側壁１１との当接状態が不安定になり易いという問題もあった。
【００１１】
本発明は、上述した事情に鑑みてなされたものであり、その目的は、光漏れ防止のためのライトケースの周側壁と回路基板との当接状態の安定を図りつつ、回路基板の表面に形成した導体パターンの損傷防止を図ることのできるインジケータ照明装置を提供することにある。
【課題を解決するための手段】
【００１２】
本発明の上記目的は、下記の構成により達成される。
（１）  回路基板と、
前記回路基板の表面の複数のランド部にそれぞれ端子部が半田付けされることで前記回路基板の表面に搭載された光源素子と、
前記光源素子の光の照射方向における前方に配置されたインジケータ意匠を有する光透過性の表示板と、
前記光源素子と前記表示板との間の照光空間を取り囲むように形成された多角形筒状の周側壁を有するライトケースと、
を具備し、
前記ライトケースの前記多角形筒状の周側壁の端面が全周にわたり前記回路基板の表面に当接することで、前記多角形筒状の周側壁と前記回路基板との隙間からの光漏れを防止したインジケータ照明装置において、
前記回路基板の表面に、前記各ランド部をそれぞれ構成する複数の銅箔部を、前記多角形筒状の周側壁よりも外側にはみ出すように形成し、
前記銅箔部に、前記多角形筒状の周側壁の端面が当接し、且つ、前記銅箔部に当接する前記多角形筒状の周側壁の端面として、少なくとも前記周側壁の角部の端面が含まれることを特徴とするインジケータ照明装置。
【００１３】
（２）  前記周側壁が４つの角部を有する四角形筒状に形成され、
一方、前記光源素子が２個設けられ、前記各光源素子の２つの端子部が半田付けされる合計４つのランド部をそれぞれ構成する４つの前記銅箔部が、前記周側壁の４つの角部に対応して設けられると共に、前記周側壁の各角部よりも外側にはみ出すように設けられており、前記各銅箔部に、それぞれ前記周側壁の４つの角部の各端面が当接していることを特徴とする上記（１）に記載のインジケータ照明装置。
【００１４】
（３）  前記各銅箔部に対し、スルーホールを介して前記回路基板の裏面に形成された配線パターンが電気的に接続されていることを特徴とする上記（１）又は（２）に記載のインジケータ照明装置。
【００１５】
（４）  前記銅箔部間の前記周側壁の内部から外部に延在する隙間が、ラビリンス構造であることを特徴とする上記（１）〜（３）のいずれかに記載のインジケータ照明装置。
【００１６】
上記（１）の構成のインジケータ照明装置によれば、回路基板の表面に、半田付け用の各ランド部をそれぞれ構成する複数の銅箔部を、ライトケースの多角形筒状の周側壁よりも外側にはみ出すように形成し、その銅箔部に、多角形筒状の周側壁の端面が当接するので、周側壁の端面が広い面積で導体パターンである銅箔部の上に当接することができる。従って、幅の狭い配線パターン（線状の導体パターン）に周側壁の端面が当接する場合と違って、当接部分の導体パターンに作用する応力を小さくすることができ、振動等により導体パターンである銅箔部を傷めるおそれがなくなる。
【００１７】
また、銅箔部に当接する多角形筒状の周側壁の端面として、少なくとも周側壁の角部の端面が含まれるようになっているので、周側壁の全角部の端面を一定高さの銅箔部で支持することができ、それにより、回路基板と周側壁の当接状態の安定を図ることができる。
【００１８】
また、周側壁の端面が導体パターンに接触する部分の周側壁の周方向における長さを大きくとれることにより、周側壁と回路基板との間の隙間のトータル量を減らすことができ、更に光漏れ防止効果を高めることができる。
【００１９】
上記（２）の構成のインジケータ照明装置によれば、半田付けのためのランド部を構成する銅箔部が、四角形筒状の周側壁の４つの角部に対応して設けられると共に、周側壁の各角部よりも外側にはみ出すように設けられているので、幅の狭い配線パターン（線状の導体パターン）に周側壁の端面が当接する場合と違って、周側壁の端面が広い面積で導体パターンである銅箔部の上に当接することができる。従って、周側壁の端面が当接する部分の導体パターンに作用する応力を小さくすることができ、振動等により導体パターンである銅箔部を傷めるおそれがなくなる。
【００２０】
また、各銅箔部にそれぞれ周側壁の４つの角部の各端面が当接しているので、回路基板と周側壁の当接状態の安定を図ることができる。
【００２１】
上記（３）の構成のインジケータ照明装置によれば、各銅箔部に対し、スルーホールを介して回路基板の裏面に形成された配線パターンが電気的に接続されているので、回路基板の表面側の配線パターンを無くすことができる。
【００２２】
上記（４）の構成のインジケータ照明装置によれば、隙間が直線状ではなく、ラビリンス構造であるので、仮に光源素子からの光が隙間内に達したとしても、光はラビリンス構造により直進を遮られるので、光が周壁の外部に達することがない。従って、光漏れ防止効果を更に高めることができる。
【発明の効果】
【００２３】
本発明によれば、半田付け用のランド部を構成する銅箔部を、ライトケースの多角形筒状の周側壁よりも外側にはみ出すように形成し、その銅箔部に、多角形筒状の周側壁の端面が当接するので、光漏れを防止できると共に、周側壁の端面が広い面積で導体パターンである銅箔部の上に当接することができる。従って、導体パターンに作用する応力を小さくすることができ、振動等により導体パターンである銅箔部を傷めるおそれがなくなる。また、銅箔部に当接する多角形筒状の周側壁の端面の中に周側壁の角部の端面が含まれているので、回路基板と周側壁の当接状態の安定を図ることができる。
【００２４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２５】
【図１】本発明の第１実施形態のインジケータ照明装置の部分構成図で、ライトケースの周側壁と、回路基板及びその表面に搭載された光源素子との関係を示す斜視図である。
【図２】本発明の第２実施形態のインジケータ照明装置の部分構成図で、ライトケースの周側壁と、回路基板及びその表面に搭載された光源素子との関係を示す斜視図である。
【図３】本発明の第３実施形態のインジケータ照明装置の模式平面図である。
【図４】図４（ａ）は一般的なインジケータ照明装置の断面図、図４（ｂ）は意匠を印刷した表示板の正面図である。
【図５】従来のインジケータ照明装置の構成図で、ライトケースの周側壁と、回路基板及びその表面に搭載された光源素子との関係を示す斜視図である。
【発明を実施するための形態】
【００２６】
以下、本発明の実施形態を図面を参照して説明する。
［第１実施形態］
図１は第１実施形態のインジケータ照明装置の部分構成図である。
この第１実施形態のインジケータ照明装置も、図２に示す一般的なインジケータ照明装置と同様に、回路基板１と、回路基板１に搭載されたＬＥＤ等の光源素子２と、光源素子２の光の照射方向における前方に配置されたインジケータ意匠２１を有する光透過性の表示板２０と、光源素子２と表示板２０との間の照光空間５（ランプ室に相当）を取り囲むように形成された多角形筒状の周側壁１１を有するライトケース１０と、を備えている。
【００２７】
図１に示すように、周側壁１１は、４枚の平板状の側壁１１ａ〜１１ｄと、隣接する側壁の交わる４つの角部１１ｐとを有する四角形筒状に形成されている。ライトケース１０の周側壁１１によって囲まれた照光空間５には、２つの光源素子２が臨んでいる。２つの光源素子２は、回路基板１の表面に形成された複数のランド部３にそれぞれ端子部２ａが半田付けされることで回路基板１の表面に並べて配置されている。ライトケースの四角形筒状の周側壁１１の端面は、回路基板１の表面に設けられた銅箔部４に全周にわたり当接されており、それにより、四角形筒状の周側壁１１と回路基板１との隙間からの光漏れを防止するようになっている。
【００２８】
各光源素子２の２つの端子部２ａが半田付けされる合計４つのランド部３は、それぞれ４つの平面視矩形状の銅箔部４の一部として構成されている。４つの矩形状の銅箔部４は、周側壁１１の４つの角部１１ｐに対応して設けられており、隣接するもの同士の間に隙間４ａを開けて「田の字状」に配置されている。また、矩形状の各銅箔部４は、周側壁１１の各角部１１ｐよりも外側にはみ出すように形成されている。
【００２９】
そして、各銅箔部４の上に、四角形筒状の周側壁１１の端面が当接されており、その銅箔部４に当接する周側壁１１の端面の中に、少なくとも周側壁１１の各角部１１ｐの端面１１ｐｅが含まれている。また、各銅箔部４には、スルーホール６を介して回路基板１の裏面に形成された配線パターン７が電気的に接続されている。
【００３０】
このように構成されたインジケータ照明装置では、回路基板１の表面に、半田付け用の各ランド部３をそれぞれ構成する複数の銅箔部４が、ライトケース１０の四角形筒状の周側壁１１の４つの角部１１ｐに対応して設けられると共に、周側壁１１の各角部１１ｐよりも外側にはみ出すように設けられているので、図３に示した従来例のように、幅の狭い配線パターン（線状の導体パターン）に周側壁１１の端面が当接する場合と違って、周側壁１１の端面が広い面積で導体パターンである銅箔部４の上に当接することができる。従って、周側壁１１の端面が当接する部分の導体パターン（銅箔部４）に作用する応力を小さくすることができ、振動等により導体パターンである銅箔部４を傷めるおそれがなくなる。
【００３１】
また、各銅箔部４にそれぞれ周側壁１１の４つの角部１１ｐの各端面１１ｐｅが当接しているので、周側壁１１の全角部１１ｐの端面を一定高さの銅箔部で支持することができ、それにより、回路基板１と周側壁１１の当接状態の安定を図ることができる。
【００３２】
また、周側壁１１の端面が導体パターン（銅箔部４）に接触する部分の周側壁の周方向における長さを大きくとれることにより、周側壁１１と回路基板１との間の隙間（この隙間ができるのは、隣接する銅箔部４の間の隙間４ａのある部分だけである）のトータル量を減らすことができ、更に光漏れ防止効果を高めることができる。
【００３３】
また、第１実施形態では、各銅箔部４に対し、スルーホール６を介して回路基板１の裏面に形成された配線パターン７を電気的に接続しているので、回路基板１の表面側の配線パターンを無くすことができる。
【００３４】
［第２実施形態］
次に、図２を参照して本発明の第２実施形態を説明する。図２は本発明の第２実施形態のインジケータ照明装置の部分構成図で、ライトケースの周側壁と、回路基板及びその表面に搭載された光源素子との関係を示す斜視図である。
【００３５】
第２実施形態が第１実施形態と異なる点は、隣接する銅箔部４の間の隙間４ａの形状である。第２実施形態の他の構成は、第１実施形態と同一であるので、図２に第１実施形態と同じ符号を付してその説明は省略する。
【００３６】
第２実施形態のインジケータ照明装置における銅箔部４間の隙間４ａは、平面視で直線状ではなく、延在方向の中間部に湾曲部４ｂを有するラビリンス構造に形成されている。隙間４ａは、周壁１１の内部から外部に延在しており、光源素子２が設けられた位置よりも外部側に湾曲部４ｂが形成されている。
【００３７】
隙間４ａは、湾曲部４ｂが形成されることによりラビリンス構造になっているが、湾曲部４ｂに代えてクランク部を有する構造であってもよく、光が直進できない形状になっていればよい。
【００３８】
第２実施形態のインジケータ照明装置によれば、第１実施形態による効果に加えて更に下記の効果がある。第２実施形態によれば、隙間４ａが直線状ではなく、湾曲部４ｂを有するラビリンス構造であるので、仮に光源素子２からの光が隙間４ａ内に達したとしても、光は途中にある湾曲部４ｂにより直進を遮られるので、光が周壁１１の外部に達することがない。従って、光漏れ防止効果を更に高めることができる。
【００３９】
［第３実施形態］
次に、図３を参照して本発明の第３実施形態を説明する。図３は本発明の第３実施形態のインジケータ照明装置の模式平面図である。
【００４０】
第３実施形態が第２実施形態と異なる点は、光源素子２及び銅箔部４の数である。第３実施形態の他の構成は、第２実施形態と同一であるので、図３に第２実施形態と同じ符号を付してその説明は省略する。
【００４１】
第３実施形態のインジケータ照明装置は、周壁１１内に配置される光源素子２が一つであり、周壁１１が当接する銅箔部４が２つである。
【００４２】
銅箔部４間の隙間４ａは、周壁１１の内部から外部に延在しており、光源素子２が設けられた位置よりも外部側に湾曲部４ｂが形成されている。湾曲部４ｂは、周壁１１の銅箔部４との当接面に重なって形成されている。隙間４ａは光源素子２の周囲にまで延在している。光源素子２が半田付けされるランド部３は、スルーホール６を介して回路基板１の裏側の配線８で、銅箔部４と電気的に接続されている。
第３実施形態のインジケータ照明装置によれば、第２実施形態と同じ効果がある。
【００４３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、上記実施形態では、各銅箔部４に対し、スルーホール６を介して回路基板１の裏面に形成された配線パターン７を電気的に接続しているが、各銅箔部４の周側壁１１よりも外側にはみ出した部分に対し、回路基板１の表面に形成した配線パターンを接続してもよい。
【００４５】
また、上記実施形態では、光源素子２が２個設けられている場合を示したが、光源素子２が１個の場合にも本発明は適用することができる。即ち、光源素子２が１個の場合は、必要とするランド部３の数が２つになるから、銅箔部４も２つ設ければよく、１つの矩形状の銅箔部４の上に周側壁１１の２つの角部１１ｐの端面１１ｐｅを一緒に当接させればよい。また、３つ以上の光源素子がある場合で周側壁が四角筒状である場合は、例えば、中央の光源素子に対応したランド部を構成する銅箔部については、周側壁の角部ではなく辺部の端面が当接すればよい。
【００４６】
また、上記実施形態では、ライトケース１０の周側壁１１が四角筒状である場合を述べたが、三角筒状であってもよいし、五角形以上の多角形筒状であってもよい。その場合も、多角形筒状の周側壁の角部の端面が銅箔部の上に当接することで、周側壁と回路基板の当接状態の安定化を図ることができる。
【００４７】
ここで、上述した本発明に係るインジケータ照明装置の実施形態の特徴をそれぞれ以下［１］〜［４］に簡潔に纏めて列記する。
【００４８】
［１］  回路基板（１）と、
前記回路基板（１）の表面の複数のランド部（３）にそれぞれ端子部（２ａ）が半田付けされることで前記回路基板（１）の表面に搭載された光源素子（２）と、
前記光源素子（２）の光の照射方向における前方に配置されたインジケータ意匠（２１）を有する光透過性の表示板（２０）と、
前記光源素子（２）と前記表示板（２０）との間の照光空間を取り囲むように形成された多角形筒状の周側壁（１１）を有するライトケース（１０）と、
を具備し、
前記ライトケース（１０）の前記多角形筒状の周側壁（１１）の端面が全周にわたり前記回路基板（１）の表面に当接することで、前記多角形筒状の周側壁（１１）と前記回路基板（１）との隙間からの光漏れを防止したインジケータ照明装置において、
前記回路基板（１）の表面に、前記各ランド部（３）をそれぞれ構成する複数の銅箔部（４）を、前記多角形筒状の周側壁（１１）よりも外側にはみ出すように形成し、
前記銅箔部（４）に、前記多角形筒状の周側壁（１１）の端面が当接し、且つ、前記銅箔部（４）に当接する前記多角形筒状の周側壁（１１）の端面として、少なくとも前記周側壁（１１）の角部（１１ｐ）の端面（１１ｐｅ）が含まれることを特徴とするインジケータ照明装置。
【００４９】
［２］  前記周側壁（１１）が４つの角部（１１ｐ）を有する四角形筒状に形成され、
一方、前記光源素子（２）が２個設けられ、前記各光源素子（２）の２つの端子部（２ａ）が半田付けされる合計４つのランド部（３）をそれぞれ構成する４つの前記銅箔部（４）が、前記周側壁（１１）の４つの角部（１１ｐ）に対応して設けられると共に、前記周側壁（１１）の各角部（１１ｐ）よりも外側にはみ出すように設けられており、前記各銅箔部（４）に、それぞれ前記周側壁（１１）の４つの角部（１１ｐ）の各端面（１１ｐｅ）が当接していることを特徴とする請求項１に記載のインジケータ照明装置。
【００５０】
［３］  前記各銅箔部（４）に対し、スルーホール（６）を介して前記回路基板（１）の裏面に形成された配線パターン（７）が電気的に接続されていることを特徴とする上記［１］又は［２］に記載のインジケータ照明装置。
【００５１】
［４］  前記銅箔部（４）間の前記周側壁（１１）の内部から外部に延在する隙間（４ａ）が、ラビリンス構造であることを特徴とする上記［１］〜［３］のいずれかに記載のインジケータ照明装置。
【符号の説明】
【００５２】
１  回路基板
２  光源素子
２ａ  端子部
３  ランド部
４  銅箔部
５  照光空間
６  スルーホール
７  配線パターン
１０  ライトケース
１１  周側壁
１１ｐ  角部
１１ｐｅ  角部の端面
２０  表示板
２１  インジケータ意匠
【図１】
2014219377.tif 000003
【図２】
2014219377.tif 000004
【図３】
2014219377.tif 000005
【図４】
2014219377.tif 000006
【図５】
2014219377.tif 000007